(57)【要約】【課題】潤滑剤による障害を抑制し、信頼性および安定性の向上したヘッド、およびこのヘッドを備えたディスク装置を提供する。【解決手段】ヘッド４０は、回転自在な記録媒体の表面に対向する対向面４３を有し、記録媒体表面と対向面との間に生じる空気流により浮上するスライダ４２と、スライダに設けられ記録媒体に対し情報の記録再生を行うヘッド部４４と、を備えている。スライダは、対向面に形成され負圧を発生させる負圧キャビティ５４と、負圧キャビティに対して空気流の流入側に位置したリーディングステップ５０と、負圧キャビティに対して空気流の流出側に位置し、ヘッド部を有するトレーリングステップ６０と、負圧キャビティの流出側端部でトレーリングステップの外側に設けられ、スライダの中央側あるいはスライダの流出端側の少なくとも一方に開口する開口部を有するパッドと、を備えている。【選択図】図３
2012009101.tif 000002
【特許請求の範囲】
【請求項１】
回転自在な記録媒体の表面に対向する対向面を有し、前記記録媒体表面と対向面との間に生じる空気流により浮上するスライダと、前記スライダに設けられ上記記録媒体に対し情報の記録再生を行うヘッド部と、を備え、
前記スライダは、  
前記対向面に形成され負圧を発生させる負圧キャビティと、
前記負圧キャビティに対して前記空気流の流入側に位置したリーディングステップと、
前記負圧キャビティに対して前記空気流の流出側に位置し、前記ヘッド部を有するトレーリングステップと、
前記負圧キャビティの流出側端部で前記トレーリングステップの外側に設けられ、前記スライダの中央側あるいは前記スライダの流出端側の少なくとも一方に開口する開口部を有するパッドと、
を備えているヘッド。
【請求項２】
前記パッドは、前記トレーリングステップと同等の高さに形成されている請求項１に記載のヘッド。
【請求項３】
前記パッドは、流出端側に位置する円弧状の端縁を有している請求項２に記載のヘッド。
【請求項４】
前記スライダは、それぞれ前記リーディングステップから前記流出端側に延びる一対のサイドステップと、前記サイドステップから前記流出端側に延びるスカート部と、を備え、前記パッドは、前記スカート部の流出側端に設けられている請求項１ないし３のいずれか１項に記載のヘッド。
【請求項５】
前記スライダは、それぞれ前記リーディングステップから前記流出端側に延びる一対のサイドステップと、前記サイドステップから前記流出端側に延びるスカート部と、を備え、前記パッドは、前記スカート部の流出側端と前記トレーリングステップとの間に設けられている請求項１ないし３のいずれか１項に記載のヘッド。
【請求項６】
ディスク状の記録媒体と、
前記記録媒体を回転する駆動部と、
前記記録媒体の表面に対向する対向面を有し、前記記録媒体表面と対向面との間に生じる空気流により浮上するスライダと、前記スライダに設けられ前記記録媒体に対し情報の記録再生を行うヘッド部と、を具備するヘッドと、
前記記録媒体に対して前記ヘッドを移動自在に支持するキャリッジアッセンブリと、を備え、
前記スライダは、前記対向面に形成され負圧を発生させる負圧キャビティと、前記負圧キャビティに対して前記空気流の流入側に位置したリーディングステップと、前記負圧キャビティに対して前記空気流の流出側に位置し、前記ヘッド部を有するトレーリングステップと、前記負圧キャビティの流出側端部で前記トレーリングステップの外側に設けられ、前記スライダの中央側あるいは前記スライダの流出端側の少なくとも一方に開口する開口部を有するパッドと、を備えているディスク装置。
【請求項７】
前記パッドは、前記トレーリングステップと同等の高さに形成されている請求項６に記載のディスク装置。
【請求項８】
前記パッドは、流出端側に位置する円弧状の端縁を有している請求項７に記載のディスク装置。
【請求項９】
前記スライダは、それぞれ前記リーディングステップから前記流出端側に延びる一対のサイドステップと、前記サイドステップから前記流出端側に延びるスカート部と、を備え、前記パッドは、前記スカート部の流出側端に設けられている請求項６ないし８のいずれか１項に記載のディスク装置。
【請求項１０】
前記スライダは、それぞれ前記リーディングステップから前記流出端側に延びる一対のサイドステップと、前記サイドステップから前記流出端側に延びるスカート部と、を備え、前記パッドは、前記スカート部の流出側端と前記トレーリングステップとの間に設けられている請求項６ないし８のいずれか１項に記載のディスク装置。
【発明の詳細な説明】
【技術分野】
【０００１】
ここで述べる実施形態は、磁気ディスク装置等のディスク装置に用いるヘッド、このヘッドを備えたディスク装置に関する。
【背景技術】
【０００２】
ディスク装置として、例えば、磁気ディスク装置は、ケース内に配設された磁気ディスクと、磁気ディスクを支持および回転駆動するスピンドルモータと、磁気ディスクに対して情報のリード／ライトを行う磁気ヘッドと、磁気ヘッドを磁気ディスクに対して移動自在に支持したキャリッジアッセンブリと、を備えている。キャリッジアッセンブリは、回動自在に支持されたアームと、アームから延出したサスペンションとを備え、このサスペンションに延出端に磁気ヘッドが支持されている。磁気ヘッドは、サスペンションに取り付けられたスライダ、およびスライダに設けられたヘッド部を有し、ヘッド部は、リード用の再生素子、ライト用の記録素子を含んで構成されている。
【０００３】
スライダは、磁気ディスクの記録面と対向する対向面（エアベアリングサーフェース：ＡＢＳ）を有している。スライダは、サスペンションにより、磁気ディスクの磁気記録層に向う方向に所定のヘッド荷重が印加されている。磁気ディスク装置の動作時、回転する磁気ディスクとスライダとの間に空気流が発生し、スライダの対向面には、空気流体潤滑の原理により、スライダを磁気ディスク記録面から浮上させる力（正圧）が作用する。この浮上力とヘッド荷重とを釣り合わせることにより、スライダは磁気ディスク記録面と隙間を保って浮上する。スライダの浮上量の変動を防止するため、スライダの対向面中央付近に負圧キャビティや動圧発生溝を形成したディスク装置が知られている。
【０００４】
すなわち、このスライダは、ＡＢＳの中央部に形成された負圧溝と、スライダの流入端側に設けられたリーディングパッド部と、スライダの流出端側に設けられたトレイリングパッド部と、を有し、トレーリングパッド部に磁気ヘッドが設けられている。
【先行技術文献】
【特許文献】
【０００５】
【特許文献１】特開平１１−１６３１５号公報
【発明の概要】
【発明が解決しようとする課題】
【０００６】
一般的な磁気ディスクでは、磁気ヘッドとディスク界面との接触による磨耗を低減するため、潤滑剤がディスク表面に薄く塗布されている。潤滑剤の大部分は、ディスク表面に付着しているが、僅かな部分はディスク表面から遊離し、スライダの対向面に付着する場合がある。スライダに潤滑剤が付着すると、その付着量が次第に増え、ある量を超えるとスライダからディスク表面上に落下し、突起状に盛り上がってディスク表面に付着する。このような潤滑剤の突起がディスク表面上に形成されていると、この突起上を磁気ヘッドが通過する際、磁気ヘッドが所定量以上にディスク表面から浮上し、いわゆるハイフライライト状態となってしまう。これにより、ディスク表面に対する磁気ヘッドの情報書込み、読出しを正確に行えない場合が生じる。また、潤滑剤の液滴とヘッド部とが衝突し、ヘッド部あるいは磁気ディスクが損傷する可能性も考えられる。
【０００７】
この発明は以上の点に鑑みなされたもので、その目的は、潤滑剤による障害を抑制し、信頼性および安定性の向上したヘッド、およびこのヘッドを備えたディスク装置を提供することにある。
【課題を解決するための手段】
【０００８】
この発明の実施態様に係るヘッドは、回転自在な記録媒体の表面に対向する対向面を有し、前記記録媒体表面と対向面との間に生じる空気流により浮上するスライダと、前記スライダに設けられ上記記録媒体に対し情報の記録再生を行うヘッド部と、を備え、
前記スライダは、前記対向面に形成され負圧を発生させる負圧キャビティと、前記負圧キャビティに対して前記空気流の流入側に位置したリーディングステップと、前記負圧キャビティに対して前記空気流の流出側に位置し、前記ヘッド部を有するトレーリングステップと、前記負圧キャビティの流出側端部で前記トレーリングステップの外側に設けられ、前記スライダの中央側あるいは前記スライダの流出端側の少なくとも一方に開口する開口部を有するパッドと、を備えている。
【０００９】
を備えている。
【図面の簡単な説明】
【００１０】
【図１】図１は、第１の実施形態に係るＨＤＤを示す平面図。
【図２】図２は、前記ＨＤＤにおける磁気ヘッド部分を拡大して示す側面図。
【図３】図３は、前記磁気ヘッドのスライダのディスク対向面側を示す斜視図。
【図４】図４は、前記スライダのディスク対向面側を示す平面図。
【図５】図５は、前記スライダのパッド部分を拡大して示す斜視図。
【図６】図６は、動作中のスライダにおける空気流を模式的に示す平面図。
【図７】図７は、図４の線Ａ−Ａに沿ったスライダの断面を示し、潤滑剤の付着状態および磁気ディスク側への潤滑剤の戻り状態を示す断面図。
【図８】図８は、第２の実施形態に係るＨＤＤにおける磁気ヘッドのディスク対向面側を示す斜視図。
【図９】図９は、前記磁気ヘッドのディスク対向面側を示す平面図。
【発明を実施するための形態】
【００１１】
以下図面を参照しながら、ディスク装置をハードディスクドライブ（以下、ＨＤＤと称する）に適用した第１の実施形態について詳細に説明する。
【００１２】
図１は、筐体のトップカバーを取外して、ＨＤＤの内部構造を示している。図１に示すように、ＨＤＤは筐体１０を備えている。筐体１０は、上面の開口した矩形箱状のベース１２と、複数のねじによりベースにねじ止めされてベースの上端開口を閉塞する図示しないトップカバーと、を有している。
【００１３】
筐体１０内には、記録媒体としての磁気ディスク１６、および磁気ディスクを支持および回転させる駆動部としてのスピンドルモータ１８が設けられている。スピンドルモータ１８は、ベース１２の底壁上に配設されている。磁気ディスク１６は、例えば、直径６５ｍｍ（２．５インチ）に形成され、上面および下面に磁気記録層を有している。また、磁気ディスク１６の表面には、１ｎｍ程度の厚さで、潤滑剤、例えば、オイルが塗布されている。磁気ディスク１６は、スピンドルモータ１８の図示しないハブの外周に嵌合されているとともに、クランプばね１７によってハブ上に固定されている。これにより、磁気ディスク１６は、ベース１２の底壁と平行に位置した状態に支持されている。磁気ディスク１６は、スピンドルモータ１８により所定の速度、例えば、５４００ｒｐｍあるいは７２００ｒｐｍの速度で矢印Ｂ方向に回転される。
【００１４】
筐体１０内には、磁気ディスク１６に対して情報の書き込み、読み出しを行なう複数の磁気ヘッド４０、これらの磁気ヘッドを磁気ディスク１６に対して移動自在に支持したキャリッジアッセンブリ２２、キャリッジアッセンブリを回動および位置決めするボイスコイルモータ（以下、ＶＣＭと称する）２４、磁気ヘッドが磁気ディスクの最外周に移動した際、磁気ヘッドを磁気ディスクから離間した退避位置に保持するランプロード機構２５、およびヘッドＩＣ等を有する基板ユニット２１等が収納されている。
【００１５】
ベース１２の底壁外面には、図示しないプリント回路基板がねじ止めされている。このプリント回路基板は、基板ユニット２１を介して、スピンドルモータ１８、ＶＣＭ２４、および磁気ヘッド４０の動作を制御する。
【００１６】
キャリッジアッセンブリ２２は、ベース１２の底壁上に固定された軸受部２６と、軸受部から延出した複数のアーム３２と、を備えている。これらのアーム３２は、磁気ディスク１６の表面と平行に、かつ、互いに所定の間隔を置いて位置しているとともに、軸受部２６から同一の方向へ延出している。キャリッジアッセンブリ２２は、弾性変形可能な細長い板状のサスペンション３８を備えている。サスペンション３８は、板ばねにより構成され、その基端がスポット溶接あるいは接着によりアーム３２の先端に固定され、アームから延出している。各サスペンション３８は対応するアーム３２と一体に形成されていてもよい。アーム３２およびサスペンション３８によりヘッドサスペンションを構成し、このヘッドサスペンションと磁気ヘッド４０とによりヘッドジンバルアッセンブリを構成している。
【００１７】
図２に示すように、各磁気ヘッド４０は、ほぼ直方体形状のスライダ４２とこのスライダに設けられた記録再生用のヘッド部４４とを有し、サスペンション３８の先端部に設けられたジンバルばね４１に固定されている。各磁気ヘッド４０は、サスペンション３８の弾性により、磁気ディスク１６の表面に向かうヘッド荷重Ｌが印加されている。
【００１８】
図１に示すように、キャリッジアッセンブリ２２は、軸受部２６からアーム３２と反対の方向へ延出した支持枠４５を有し、この支持枠により、ＶＣＭ２４の一部を構成するボイスコイル４７が支持されている。支持枠４５は、合成樹脂によりボイスコイル４７の外周に一体的に成形されている。ボイスコイル４７は、ベース１２に固定された一対のヨーク４９間に位置し、これらのヨーク、および一方のヨークに固定された図示しない磁石とともにＶＣＭ２４を構成している。ボイスコイル４７に通電することにより、軸受部２６の回りでキャリッジアッセンブリ２２が回動し、磁気ヘッド４０は磁気ディスク１６の所望のトラック上に移動および位置決めされる。
【００１９】
ランプロード機構２５は、ベース１２の底壁に設けられているとともに磁気ディスク１６の外側に配置されたランプ５１と、各サスペンション３８の先端から延出したタブ５３と、を備えている。キャリッジアッセンブリ２２が、磁気ディスク１６の外側の退避位置まで回動する際、各タブ５３は、ランプ５１に形成されたランプ面と係合し、その後、ランプ面の傾斜によって引き上げられ、磁気ヘッド４０のアンロード動作を行う。
【００２０】
次に、磁気ヘッド４０の構成について詳細に説明する。図３は磁気ヘッドのスライダを示す斜視図、図４はスライダの平面図、図５はスライダのパッド部分を拡大して示す斜視図である。  
図３および図４に示すように、磁気ヘッド４０はほぼ直方体状に形成されたスライダ４２を有し、このスライダは磁気ディスク１６の表面に対向する矩形状のディスク対向面（ＡＢＳ）４３、ディスク対向面と直交して延びた流入側端面４２ａ、ディスク対向面と直交して延びた流出側端面４２ｂ、およびそれぞれディスク対向面と直交して流入側端面４２ａと流出側端面４２ｂとの間を延びた一対の側面４２ｃを有している。
【００２１】
ディスク対向面４３の長手方向を第１方向Ｘ、これと直交する幅方向を第２方向Ｙとする。スライダ４２は、第１方向Ｘの長さＬが１．２５ｍｍ以下、例えば、０．８５ｍｍ、第２方向Ｙに沿った幅Ｗが１．０ｍｍ以下、例えば、０．７ｍｍに形成され、いわゆるフェムトスライダとして構成されている。
【００２２】
磁気ヘッド４０は浮上型のヘッドとして構成され、スライダ４２は、磁気ディスク１６の回転によってディスク表面とディスク対向面４３との間に生じる空気流Ｃ（図２参照）により浮上する。ＨＤＤの動作時、スライダ４２のディスク対向面４３はディスク表面に対し常に隙間を保って対向している。ここで、空気流Ｃの方向は、磁気ディスク１６の回転方向Ｂと一致している。スライダ４２は、磁気ディスク１６表面に対し、ディスク対向面４３の第１方向Ｘが空気流Ｃの方向とほぼ一致するように配置されている。
【００２３】
図３および図４に示すように、ディスク対向面４３のほぼ中央部から流出端側に渡って、凹所からなる負圧キャビティ５４が形成されている。負圧キャビティ５４は、流出側端面４２ｂに向かって開放している。スライダ４２の厚さは、例えば０．２３ｍｍに形成され、負圧キャビティ５４の深さは８００〜１５００ｎｍ、例えば１５００ｎｍに形成されている。負圧キャビティ５４を設けることにより、ＨＤＤで実現される全てのヨー角において、ディスク対向面４３中心部で負圧を発生させることができる。
【００２４】
ディスク対向面４３において、流入側端部には、ほぼ矩形状のリーディングステップ５０が形成されている。リーディングステップ５０はディスク対向面４３より一段低く、負圧キャビティ５４の底面に対して突出して設けられ、かつ、空気流Ｃに対して負圧キャビティ５４の流入側に位置している。
【００２５】
ディスク対向面４３には、ディスク対向面４３の各側縁に沿って延びているとともに第２方向Ｙに間隔を置いて対向した一対のサイド部４６が形成されている。これらのサイド部４６は負圧キャビティ５４の底面に対して突出して設けられている。サイド部４６は、リーディングステップ５０からスライダ４２の下流端側に延出している。
【００２６】
更に、ディスク対向面４３には、それぞれ第１方向Ｘに沿ってサイド部４６からスライダの流出側端近傍まで直線的に延出した一対のスカート部５７が形成されている。各スカート部５７は、サイド部４６よりも深く形成され、負圧キャビティ５４の底面に対して突出している。各スカート部５７は、ディスク対向面４３に対して、例えば、深さ１００〜２００ｎｍに形成されている。
【００２７】
リーディングステップ５０、一対のサイド部４６、および一対のスカート部５７は、スライダ４２の中心軸線Ｄに対して対象に設けられ、全体として、上流側が閉塞され、下流側に向かって開放したほぼＵ字形状に形成されている。そして、リーディングステップ５０、一対のサイド部４６、およびスカート部５７により負圧キャビティ５４が規定されている。
【００２８】
磁気ヘッド４０のピッチ角を維持するため、リーディングステップ５０上には、空気膜によってスライダ４２を支えるリーディングパッド５２が突設されている。リーディングパッド５２は、第２方向Ｙに沿ってリーディングステップ５０の幅方向全域に渡り連続的に延びているとともに、スライダ４２の流入側端面４２ａから下流側にずれた位置に形成されている。
【００２９】
各サイド部４６上には、サイドパッド４８が形成され、リーディングパッド５２に繋がっている。リーディングパッド５２およびサイドパッド４８はほぼ平坦に形成され、ディスク対向面４３を形成している。また、各スカート部５７の流出側端部に潤滑剤捕獲および戻し用のパッド７０が形成されている。このパッド７０については、後で詳細に説明する。
【００３０】
スライダ４２は、空気流Ｃの方向に対して、ディスク対向面４３の流出側の端部に形成されたトレーリングステップ５８を有している。トレーリングステップ５８は、負圧キャビティ５４の底面に対して突出して形成され、その突出高さは、リーディングステップ５０と同一突出高さに形成されている。言い換えると、トレーリングステップ５８は、ディスク対向面４３からの深さが、リーディングステップ５０と同一深さ、５０〜２５０ｎｍ、例えば、１００ｎｍに形成されている。トレーリングステップ５８は、空気流Ｃの方向に対して、負圧キャビティ５４の下流側に位置し、かつ、ディスク対向面４３の第２方向Ｙほぼ中央に位置している。
【００３１】
トレーリングステップ５８は、ほぼ直方体形状に形成され、上流側に位置した２つの角部が面取りされた形状を有している。トレーリングステップ５８は、磁気ディスク表面と対向した上面を有している。
【００３２】
トレーリングステップ５８の上面には、空気膜によってスライダ４２を支えるトレーリングパッド６０が突設されている。トレーリングパッド６０は、リーディングパッド５２、サイドパッド４８、およびパッドと同一高さレベルに形成され、その表面は、ディスク対向面４３を構成している。
【００３３】
磁気ヘッド４０のヘッド部４４は、磁気ディスク１６に対して情報の記録再生を行う記録素子および再生素子を有/している。これら再生素子および記録素子は、空気流Ｃの方向に対して、スライダ４２の下流側端部内、ここでは、トレーリングステップ５８内に埋め込まれている。再生素子および記録素子は、トレーリングパッド６０に形成されたリード／ライトギャップを有している。
【００３４】
スライダ４２は、第１方向Ｘに沿って、リーディングステップ５０からトレーリングステップ５８まで延びる細長い一対のセンターレール６２を有している。一対のセンターレール６２は、第２方向Ｙに隙間を置いて、互いに対向している。センターレール６２間に、空気流をトレーリングステップ５８に導くガイド溝６４が形成されている。
【００３５】
図３、図４、図５に示すように、前述したパッド７０は、スライダ４２の負圧発生領域、ここでは、負圧キャビティ５４、の流出側端５４ａで、トレーリングステップ５８の外側に離れて設けられている。本実施形態では、パッド７０は、各スカート部５７の流出端部に設けられ、トレーリングパッド６０と同等の高さに形成されている。
【００３６】
各パッド７０は、スライダ４２の中央側（低圧側）あるいはスライダの流出端側の少なくとも一方に開口する開口部７２を有している。本実施形態では、開口部７２は、中央側および流出端側の両方に向かって開口している。また、各パッド７０は、例えば、円柱形状に形成され、パッド７０の流出端側に位置する端縁７０ａは、円弧状に形成されている。
【００３７】
以上のように構成されたＨＤＤによれば、磁気ヘッド４０は、磁気ディスク１６の回転によってディスク表面とディスク対向面４３との間に生じる空気流Ｃにより浮上する。これにより、ＨＤＤの動作時、スライダ４２のディスク対向面４３はディスク表面に対し常に隙間を保って対向している。図２に示すように、磁気ヘッド４０は、ヘッド部４４のリード／ライトギャップが最もディスク表面に接近した傾斜姿勢をとって浮上する。
【００３８】
磁気ヘッド４０は、スライダ４２のディスク対向面４３に負圧キャビティ５４を設けることにより、ＨＤＤで実現される全てのヨー角において、ディスク対向面４３中心部で負圧を発生させることができる。また、スカート部の流出端側にパッド７０を設け、このパッドにはスライダ中央方向もしくは流出端方向に向けた開口部７２が設けられている。そのため、図６に模式的に示すように、浮上中にパッド７０の開口部７２近傍によどみ点が生じ、磁気ディスク１６上からスライダ４２に移着した潤滑剤が、パッド７０の開口部７２付近に集まりやすくなる。図７（ａ）に示すように、スライダ４２に移着した潤滑剤Ｒは開口部７２内に捕獲され溜まる。
【００３９】
磁気ヘッド４０のアンロード動作によってスライダ４２が磁気ディスク１６上からランプ５１上に退避すると、図７（ｂ）に示すように、これまで空気せん断力によりパッド７０近傍に留められていた潤滑剤Ｒは、空気力から開放されることで徐々に周囲へ拡散し、パッド７０の最上面上にも潤滑剤が移動する。この状態でスライダ４２が磁気ディスク１６にロードされると、図７（ｃ）、図７（ｄ）に示すように、パッド７０が磁気ディスク１６に潤滑剤を介して接触し、パッド７０上の潤滑剤が磁気ディスク１６に戻される。この際、パッド７０が接触するのは、磁気ディスク１６のロード/アンロード領域内、つまり、磁気ディスク１６の最外周部となる。そのため、スライダ４２と磁気ディスク１６との接触によるデータ消失の心配はなく、また、スライダ４２上の潤滑剤Ｒを磁気ディスク１６の表面上に戻すことで生じる潤滑剤膜厚のムラによるスライダ４２の浮上が不安定となることを心配する必要もない。パッド７０の流出端側の端縁７０ａは、円弧状に形成されていることから、磁気ヘッド４０を磁気ディスク１６上にロードする際、パッド７０が磁気ディスク表面に接触した場合でも、磁気ディスクの損傷を防止することができる。
【００４０】
更に、スライダ４２に付着する潤滑剤がトレーリングパッド近辺に溜まってヘッド部４４上に拡散することを防止できる。これにより、磁気ヘッド４０のアンロード中にリード／ライト素子上を潤滑剤が覆うことによるロード直後のリード／ライト性能悪化や、スライダから磁気ディスクのデータ記録領域に潤滑剤が落下することで生じるハイ・フライ・ライトやドリフト・オフ・ライトなどを防ぐことが可能になる。  
以上のことから、潤滑剤による障害を抑制し、信頼性および安定性の向上したヘッド、およびこのヘッドを備えたディスク装置が得られる。
【００４１】
次に、第２の実施形態に係るＨＤＤの磁気ヘッドについて説明する。  
図８は、第２の実施形態に係るＨＤＤの磁気ヘッドを示す斜視図、図９は、磁気ヘッドの平面図である。これらの図に示すように、第２の実施形態によれば、磁気ヘッド４０のスライダ４２は、一対のパッド７０を有し、これらのパッドは、負圧キャビティ５４の底上に立設されている。すなわち、各パッド７０は、スライダ４２の負圧発生領域、ここでは、負圧キャビティ５４、の流出側端５４ａで、トレーリングステップ５８とスカート部５７との間に設けられている。パッド７０は、例えば、円柱形状に形成され、その高さは、トレーリングパッド６０と同等の高さに形成されている。
【００４２】
各パッド７０は、スライダ４２の中央側（低圧側）あるいはスライダの流出端側の少なくとも一方に開口する開口部７２を有している。本実施形態では、開口部７２は、中央側および流出端側の両方に向かって開口している。各パッド７０の流出端側に位置する端縁は、円弧状に形成されている。  
第２の実施形態において、磁気ヘッド４０の他の構成およびＨＤＤの他の構成は、第１の実施形態と同一であり、同一の部分には同一の参照符号を付してその詳細な説明を省略する。
【００４３】
以上のように構成された第２の実施形態に係るＨＤＤによれば、負圧キャビティの流出端側にパッド７０を設け、このパッドにはスライダ中央方向もしくは流出端方向に向けた開口部７２を設けることにより、磁気ディスク１６上からスライダ４２に移着した潤滑剤をパッド７０の開口部７２付近に集め、磁気ヘッドのロード時、パッド７０から磁気ディスクに潤滑剤を戻すことができる。これにより、スライダ４２に付着する潤滑剤がトレーリングパッド近辺に溜まってヘッド部４４上に拡散することを防止し、ロード直後のリード／ライト性能悪化や、スライダから磁気ディスクのデータ記録領域に潤滑剤が落下することで生じるハイ・フライ・ライトやドリフト・オフ・ライトなどを防ぐことができる。その他、第２の実施形態においても、第１の実施形態と同様の作用効果を得ることができる。  
以上のことから、潤滑剤による障害を抑制し、信頼性および安定性の向上したヘッド、およびこのヘッドを備えたディスク装置が得られる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４５】
例えば、スライダにおけるパッドの形状は、円柱形状に限らず、種々変更可能である。パッドに形成される開口部の形状も実施形態に限定されることなく、種々変更可能であるとともに、低圧側および流出端側の両方向に開口している構成に限定されることなく、低圧側および流出端側の少なくとも一方に開口していればよい。スライダは、フェムトスライダに限らず、ピコスライダ、ペムトスライダ、あるいは、より寸法の大きなスライダにも適用可能である。ディスク装置において、磁気ディスクの枚数は１枚に限らず、増加可能である。
【符号の説明】
【００４６】
１２…ベース、１６…磁気ディスク、１８…スピンドルモータ
２２…キャリッジアッセンブリ、４０…磁気ヘッド、４２…スライダ、
４３…ディスク対向面、４４…ヘッド部、５０…リーディングステップ、
５２…リーディングパッド、５４…負圧キャビティ、４６…サイド部、
４８…サイドパッド、５７…スカート部、５８…トレーリングステップ、
６０…トレーリングパッド、７０…パッド、７０ａ…流出側端縁、７２…開口部
【図１】
2012009101.tif 000003
【図２】
2012009101.tif 000004
【図３】
2012009101.tif 000005
【図４】
2012009101.tif 000006
【図５】
2012009101.tif 000007
【図６】
2012009101.tif 000008
【図７】
2012009101.tif 000009
【図８】
2012009101.tif 000010
【図９】
2012009101.tif 000011